(57)【特許請求の範囲】
【請求項１】
樹脂により射出成形され、レンズ保持部材に保持させた状態で用いられる樹脂成形レンズにおいて、
レンズ面が形成された有効レンズ部の外周に一定量の余裕幅を持たせるためのコアレンズ部が設けられているとともに、前記コアレンズ部の周縁部を前記有効レンズ部の最外周部での厚さよりも薄く構成してなる一対の係止部を備え、レンズ全体を撓ませて、前記一対の係止部を前記レンズ保持部材に設けた一対の溝部に嵌め込むことによってレンズ保持部材に固定することを特徴とする樹脂成形レンズ。
【請求項２】
前記一対の係止部は、横長に規定された露光画面内に向かう光線が通過する有効光線通過範囲の上部および下部に設けられることを特徴とする請求項１記載の樹脂成形レンズ。
【請求項３】
前記一対の係止部は、露光画面内に向かう光線が通過する有効光線通過範囲の外側の相対向位置に設けられていることを特徴とする請求項１記載の樹脂成形レンズ。
【発明の詳細な説明】
【０００１】
【発明の属する技術分野】
本発明は、写真用樹脂成形レンズの形状に関するものである。
【０００２】
【従来の技術】
現在、写真撮影用のカメラとしては用途や機能に応じて非常に多くの種類のものが製造，販売されている。最近では、いつでも手軽に写真撮影を楽しむことができるように、撮影レンズやシャッタ装置などの撮影機構を組み込んだユニット本体に予め未露光の写真フイルムを内蔵させたレンズ付きフイルムユニットが販売されている。このレンズ付きフイルムユニットは、購入したその場ですぐに写真撮影ができ、また撮影後にもそのまま現像取扱店に出せばよいという簡便性から、一般に広く利用されている。
【０００３】
このようなレンズ付きフイルムユニットや低価格帯のカメラにおいては、一般に、撮影レンズとして射出成形法により成形された樹脂レンズが用いられる。この樹脂レンズは、レンズ保持部材に保持させて位置決めされる。従来より、レンズをレンズ保持部材に保持させる際には、押さえ部材をレンズとともにレンズ保持部材に保持させたり、あるいはレンズ保持部材の一部をレンズの周縁部にかしめたり、レンズとレンズ保持部材とを接着するなどの方法により、レンズとレンズ保持部材との間の隙間をなくすようにしている。これにより、レンズがレンズ保持部材内でがたつくことが防止され、レンズの光学性能が良好な状態に維持される。
【０００４】
ところで、太陽や室内灯などのように上方に明るい光源がある場所で写真撮影を行ったときに、フレアといわれる現象が生じることが知られている。この現象は、太陽光等の強い光が撮影レンズの周面やレンズ保持部材の内壁などで反射して撮影画面の一部または全面に迷光を与えるために生じるもので、被写体像のコントラストを低下させる。
【０００５】
図６は、撮影レンズとして用いられる樹脂成形レンズの一般的な構成を示すものである。レンズ５は、レンズ面６ａ，６ｂが形成された有効レンズ部６の外周にコアレンズ部７を一体に設けた構成となっており、コアレンズ部７をレンズ保持枠９に保持させて位置決めされる。このようなレンズ５では、例えば図７に示すように、コアレンズ部７の放射方向の長さＬを長く構成し、レンズ面６ａ，６ｂとレンズ周面８との距離を長くすることで前述のフレア現象を軽減することができる。すなわち、長さＬが長くなるにしたがって、入射光の光路に侵入するレンズ周面８の面積が小さくなるので、このレンズ周面８で反射されて撮影画面側に向かう光の光量も少なくなり、フレアの発生を抑えることができる。
【０００６】
【発明が解決しようとする課題】
ところが、この方法をレンズ面が凹状に形成される負レンズに用いると、レンズの周縁部の体積が増大し、レンズの中央部と周縁部との間で射出成形後の樹脂の収縮率に大きな差異を生じてしまう。このため、射出成形後にレンズ面が撓みやすくなり、レンズの面精度を高度に維持することが困難になる。
【０００７】
また前述したように、レンズをレンズ保持部材内に固定するためには、レンズをレンズ保持部材に保持させた後に、押さえ部材の装着，かしめ加工，接着などの加工を施さなくてはならない。このため、従来のレンズでは、レンズ保持部材への組み付けに多くの工数を必要とするばかりか、組み付け精度を高度に要求される。
【０００８】
本発明は上記の事情を考慮してなされたもので、レンズの面精度を低下させることなく、フレアの発生を抑え、かつレンズ保持部材への組み付けが容易な樹脂成形レンズを提供することを目的とする。
【０００９】
【課題を解決するための手段】
上記目的を達成するために、本発明の樹脂成形レンズは、樹脂により射出成形され、レンズ保持部材に保持させた状態で用いられる樹脂成形レンズにおいて、レンズ面が形成された有効レンズ部の外周に一定量の余裕幅を持たせるためのコアレンズ部が設けられているとともに、前記コアレンズ部の周縁部を前記有効レンズ部の最外周部での厚さよりも薄く構成してなる一対の係止部を備え、レンズ全体を撓ませて、前記一対の係止部を前記レンズ保持部材に設けた一対の溝部に嵌め込むことによってレンズ保持部材に固定するものである。
【００１０】
前記一対の係止部は、横長に規定された露光画面内に向かう光線が通過する有効光線通過範囲の上部および下部に設けられるものである。また、前記一対の係止部は、露光画面内に向かう光線が通過する有効光線通過範囲の外側の相対向位置に設けられているものである。
【００１１】
【発明の実施の形態】
図１は本発明の樹脂成形レンズの第１実施形態を示すものである。レンズ１０は、レンズ面が凹状に形成される負レンズであり、樹脂により射出成形される。レンズ１０は、レンズ面１１ａ，１１ｂが形成された有効レンズ部１１の外周にコアレンズ部１２を一体に設けた構成となっている。コアレンズ部１２には、有効レンズ部１１に近接する位置に、入射光の光路外に階段状に突出した支持部１３が設けられている。レンズ１０は、支持部１３をレンズ保持枠１４の内壁に当接させてレンズ開口１４ａの背面側に位置決めされる。
【００１２】
物体側のレンズ面１１ａに対して鋭角に入射した光はレンズ周面１５で露光画面（図示せず）内に反射され、フレア現象を引き起こす。しかし、コアレンズ部１２の放射方向の長さＬが長くなるほど、入射光の光路に侵入するレンズ周面１５の面積が小さくなるので、露光画面内への反射光の光量が減少する。そこで、コアレンズ部１２の放射方向の長さＬは、レンズ周面１５での反射光の光量が、露光画面内に結像された被写体像のコントラストを低下させない程度となるように決定され、通常よりも長く構成される。
【００１３】
図２に示すように、コアレンズ部１２は、物体側の面１２ａとレンズ周面１５とからなる角部１６が面取りされている。この角部１６は、レンズ面１１ａから入射した光の光路を遮らないように面取りされ、面取りによって形成された面取り面１６ａと入射光の光路とが交叉しないようになっている。
【００１４】
上記のように構成されたレンズ１０は、有効レンズ部１１の外周にコアレンズ部１２を一体に設けるので、周縁部の体積が増大している。しかし、コアレンズ部１２の物体側の面１２ａとレンズ周面１５とからなる角部１６が面取りされて体積が削減されているので、レンズ１０の中央部と周縁部との体積比が増大することが抑えられ、樹脂の収縮差が小さくなる。また、角部１６を面取りすることで形成される面取り面１６ａがレンズ面１１ａからの入射光の光路と交叉しないので、入射光が面取り面１６ａで反射されて露光画面内に侵入することはない。したがって、レンズ１０は、フレアの発生を抑えるために外径を大きく構成しながらも、射出成形後の樹脂の収縮によるレンズの撓みが抑えられ、レンズ面の面精度を高度に維持することができる。
【００１５】
次に、図３ないし図５を参照して、本発明の樹脂成形レンズの第２実施形態について説明する。図３および図４に示すように、レンズ２０は、レンズ面が凹状に形成される負レンズであり、樹脂により射出成形される。このレンズ２０は、レンズ面２１ａ，２１ｂ（図５参照）が形成された有効レンズ部２１の外周にコアレンズ部２２を設けた構成となっている。コアレンズ部２２は、レンズ周面２３での反射光の光量が、露光画面内に結像される被写体像のコントラストを低下させない程度となるように、放射方向の長さＬが長く構成されている。
【００１６】
コアレンズ部２２には、横長に規定された露光画面２４内に向かう光線が通過する有効光線通過範囲２５の上辺および下辺と平行で、かつ有効レンズ部２１の輪郭部に接する境界部２６ａ，２７ａを根元とする上下一対の係止部２６，２７が設けられている。
【００１７】
図５に示すように、レンズ２０は、レンズ保持枠３０に保持される。レンズ保持枠３０には、レンズ２０への入射光を規制するためのレンズ開口３１が形成されており、このレンズ開口３１の上部および下部に、レンズ保持枠３０の内壁３０ａ側に突出した一対の係止爪３２，３３が設けられている。レンズ２０は、レンズ全体を撓ませて、係止爪３２，３３とレンズ保持枠３０の内壁３０ｂとの隙間に係止部２６，２７を嵌め込むことによって、レンズ開口３１の背面に位置決め，固定される。なお、係止部２６，２７は、各々の厚さＤc が有効レンズ部２１の最外周部での厚さＤe よりも薄くなるように形成されている。
【００１８】
このレンズ２０は、レンズ保持枠３０に保持させると同時に、レンズ保持枠３０内に固定され、従来のレンズのように押さえ部材の装着，かしめ加工，接着などの加工を施す必要がないので、組み付け作業が簡便になる。また、係止部２６，２７が、レンズ２０の周縁から有効光線通過範囲２５までの距離が最も長くなる有効光線通過範囲２５の上下に規定されるので、係止部２６，２７を押さえる力が有効光線通過範囲２５内に及ぶことはない。したがって、レンズ２０は、レンズ面２１ａ，２１ｂの面状態が少なくとも有効光線通過範囲２５内において良好に維持される。
【００１９】
また、係止部２６，２７の厚さＤc が有効レンズ部２１の最外周部での厚さＤe よりも薄く構成されているので、レンズ２０は、中央部と周縁部との体積比が小さくなり、射出成形後の樹脂の収縮による撓みが防止される。これにより、レンズ面２１ａ，２１ｂの面状態が良好に維持される。
【００２０】
なお、上記第２実施形態では、レンズ保持枠に係止爪を設け、この係止爪とレンズ保持枠の内壁との間にレンズの係止部を嵌め込むようにしたが、例えばレンズ保持枠の内壁に、レンズの外径とほぼ同じ距離だけ離間して対向する一対の溝を形成しておき、この溝内に係止部の縁部を嵌め込むようにしてもよい。この実施形態によれば、係止爪を突設する場合に比較してレンズ保持枠の形状が単純化されるので、その成形を容易に行うことができる。
【００２１】
また、上記第２実施形態のレンズにおいても第１実施形態のレンズと同様に、コアレンズ部の物体側の面とレンズ周面とからなる角部を面取りすれば、レンズの周縁部の体積がさらに削減され、射出成形後のレンズの撓みを確実に防止することができる。
【００２２】
【発明の効果】
以上のように、本発明の樹脂成形レンズによれば、レンズ面が形成された有効レンズ部の外周に一定量の余裕幅を持たせるためのコアレンズ部を設けたので、レンズ面とレンズ周面との距離が長くなり、レンズ周面での反射光量が少なくなる。これにより、レンズ周面からの反射光によるフレアの発生が抑えられる。
【００２３】
また、レンズ全体を撓ませて、周縁部上に対に設けた係止部をレンズ保持部材に設けた溝部に嵌め込むことで、レンズ保持部材内に固定するので、レンズはレンズ保持部材に保持されると同時に固定される。したがって、レンズの保持工程の他には何ら加工工程を必要としないので、レンズの組み付けを簡便に行うことができる。
【００２４】
また、一対の係止部を、レンズの周縁から有効光線通過範囲までの距離が最も長くなる有効光線通過範囲の上下に設けることで、係止部に加わる押圧力が有効光線通過範囲内にまで及ぶことが防止される。これにより、レンズ面の面状態が、少なくとも有効光線通過範囲内において良好に維持される。
【図面の簡単な説明】
【図１】本発明の樹脂成形レンズの構成を示す断面図である。
【図２】図１に示した樹脂成形レンズの要部を示す概略図である。
【図３】本発明の樹脂成形レンズの別の構成を示す斜視図である。
【図４】図３に示した樹脂成形レンズの正面図である。
【図５】図３に示した樹脂成形レンズをレンズ保持枠に保持させた状態を示す断面図である。
【図６】従来の樹脂成形レンズの構成を示す断面図である。
【図７】図６に示したコアレンズ部の大きさとレンズ周面の入射光に対する反射面積との関係を示す説明図である。
【符号の説明】
５，１０，２０  レンズ
６，１１，２１  有効レンズ部
６ａ，６ｂ，１１ａ，１１ｂ，２１ａ，２１ｂ  レンズ面
７，１２，２２  コアレンズ部
８，１５，２３  レンズ周面
９，１４，３０  レンズ保持枠
１６  角部
１６ａ  面取り面
２５  有効光線通過範囲
２６，２７  係止部
３２，３３  係止爪
【図１】
0004031847.tif 000002
【図２】
0004031847.tif 000003
【図３】
0004031847.tif 000004
【図４】
0004031847.tif 000005
【図５】
0004031847.tif 000006
【図６】
0004031847.tif 000007
【図７】
0004031847.tif 000008